(57)【要約】【課題】  従来コンクリートに支柱を設置するための開孔部を作る場合、厚紙製円筒型枠等を使用しコンクリート打設後この厚紙製円筒型枠等を撤去していたが、この厚紙製円筒型枠等を撤去するのがやっかいな作業でありまた大きく変形するから再利用は出来なかった。【解決手段】コンクリートとの付着と寸法誤差の課題を解決するために厚紙製円筒型枠等の外側に波板等を縦長に巻き、更にこの外側にコンクリート分離シートを巻いて波板等の谷の部分にコンクリートを侵入させず波板等の山の部分の弾力を持続させて容易に引き抜くことが出来るようにした【選択図】図２
2006161539.tif 000002
【特許請求の範囲】
【請求項１】
円筒管の外側に波板を縦長に巻きこの波板の外側に更にコンクリート分離シートを巻いてコンクリート打設後も波板の山の部分の弾力を持続し前記円筒管をコンクリート中に鉛直に用いた場合底の部分にコンクリートが入らないよう円筒管に内接する内ぶたまたは円筒管を包むキャップを用い円筒管と波板との谷の部分の隙間および波板とコンクリート分離シートとの谷の部分の隙間にコンクリートが流入しないようにパッキング材を用いるかまたは波板を少し短くしてコンクリート止めリングを用いた円筒型枠セット。
【請求項２】
請求項１の場合のキャップの使用方法は円筒管の片方をキャップでふさぐものであったが円筒管のみならず波板部分も同時に包むか更にこれに加えてコンクリート分離シートも含めて同時に包むようにキャップを用いた円筒型枠セット。
【請求項３】
請求項１および請求項２はいずれも円筒型枠セットを鉛直に用いるものであったが、これを水平に用い、内ぶた、キャップ、パッキング材およびコンクリート止めリングを使用せず円筒管、波板およびコンクリート分離シートのみを用いて壁などを施工するための型枠にとりつけ、この型枠により円筒管の両面をふさいで用いる円筒型枠セット。
【請求項４】
請求項１〜請求項３に用いる円筒管が厚紙製円筒型枠、鋼管または合成樹脂円筒管のいずれか、または同等品であり、波板が合成樹脂波板、鉄板波板、非耐水紙巻きダンボール、すだれ状のものまたは発泡ポリエチレンのいずれか、または同等品であり、キャップの材料が合成樹脂、耐水紙、鉄板のいずれか、または同等品である円筒型枠セット。
【請求項５】
請求項４の波板が巻きダンボール状のもので、合成樹脂または耐水紙であり、このフラットな面を外側に用い、このフラットな面がコンクリートの側圧に耐えるもので請求項４の構成からコンクリート分離シートを除いた構成である円筒型枠セット。
【発明の詳細な説明】
【技術分野】
【０００１】
本発明は、コンクリートまたは鉄筋コンクリートに支柱を設置するための開孔部やコンクリートの壁に配管するための貫通孔を設けるための型枠に関する。
【背景技術】
【０００２】
従来コンクリートに支柱を設置するための開孔部を作る場合、厚紙製円筒型枠を設置しこのまわりおよび底面にコンクリートを打設しコンクリート硬化後にこの厚紙製円筒型枠を撤去していたが、この厚紙製円筒型枠を撤去するのがやっかいな作業であった。そのため特許文献１に示す回転具があった。
【０００３】
また壁に設置する配管用貫通孔には塩ビ管を用い撤去しないでそのまま配管しているが容易に撤去できて塩ビ管を繰り返し使用できれば大巾にコストダウンできる。
【０００４】
【特許文献１】特開平８−２８４４１２号公報
【発明の開示】
【発明が解決しようとする課題】
【０００５】
前述の回転具を用いる方法は回転具を用いない方法に比較して前述の作業は比較的楽になったが、まだ大きな力を必要とする手作業でありまた、この回転具を使用すると厚紙製円筒型枠は大きく変形するから再利用は出来なかった。
【０００６】
大きな変形なしに硬化したコンクリート中の厚紙製円筒型枠を撤去するにはコンクリートとの付着を無くすることと、寸法誤差に対応する必要がある。厚紙製円筒型枠の替わりに型枠に鋼管または合成樹脂円筒管を用いても同じである。
【０００７】
寸法誤差には製品そのものの誤差とコンクリートの側圧のちがいによるものがある。コンクリート作業の過程で管の下の方では南北方向に強く押し上の方では東西方向に強く押すことにより厚紙製円筒型枠の平面的な変形方向が異なることになる。従ってこのまま上の方向に厚紙製円筒型枠を引き抜くと仮に型枠剥離剤を丁寧に塗ってあっても容易には引き抜けない。
【課題を解決するための手段】
【０００８】
前述の付着と寸法誤差の二つの課題を解決するために厚紙製円筒型枠の外側に合成樹脂波板または鉄板波板を縦長に巻き、更にこの外側にコンクリート分離シートを巻く。この二つによりコンクリートの付着を無くすると同時に波板の谷の部分にコンクリートを侵入させず波板の山の部分の弾力を持続できる。波板は巻きダンボール、すだれ状のもの、発泡ポリエチレンであってもよい。発泡ポリエチレンの場合は波の部分はないが全体がスポンジ状でありこの弾力を利用する。この巻きダンボールが耐水性のもの、または合成樹脂よりなる巻きダンボール状のものでフラットな面および波板状の部分がコンクリートの側圧に耐える丈夫なものであればフラットな面を外側に巻いて用いてコンクリート分離シートを省略し無しでもよい。またコンクリート分離シートは水田の畦シートのフラットなものまたは同等品である。これらにより厚紙製円筒型枠をこの長さ方向に容易に引き抜くことが出来る。  
【０００９】
前述の厚紙製円筒型枠等、波板等およびコンクリート分離シートよりなる円筒型枠セットを水平に用いる場合、壁などを施工するための両側の型枠の間に挟みしっかり取り付けてモルタルが侵入しないようにコンクリートを打設しコンクリートが硬化後厚紙製円筒型枠等を引き抜く。このあと波板等およびコンクリート分離シートを取りされば厚紙製円筒型枠等の無い配管用貫通孔が完成し厚紙製円筒型枠等は繰り返し使用できる。
【００１０】
次に前記厚紙製円筒型枠等を鉛直に用いて支柱用開孔部を作る場合で厚紙製円筒型枠等の底面にコンクリートがまわる場合更に次のことが必要になる。一つは当然ながら底をふさぐこと、二つ目は波板と厚紙製円筒型枠等との隙間および波板とコンクリート分離シートとの隙間をふさぐことである。底をふさぐ方法は厚紙製円筒型枠等に内接する内ぶたを用いるかまたは外から包むようにキャップをかぶせる方法がある。キャップの材料は合成樹脂、耐水紙または鉄板などである。前記隙間をふさぐ方法はパッキング材を詰めるかまたは波板を少し短くして、ここにコンクリート止めリングを用いる方法である。これらの詳細は発明を実施するための最良の形態において示す。
【００１１】
更にコンクリート分離シートの外側にスパイラル状の突起または様々な形状の突起を設けたものを用いれば、これを撤去した時これに対応する凹凸のある空洞体ができ、ここにモルタル等を詰めた時、コンクリートの硬化収縮の影響を避けられる。
【発明の効果】
【００１２】
このような本発明の厚紙製円筒型枠等をコンクリートの支柱を設置するための開孔部を作るときやコンクリートの壁に配管用貫通孔を設けるときに使用すると厚紙製円筒型枠等が大きく変形することなく容易に撤去でき、また繰り返し使用でき大巾なコストダウンと省資源につながる。  
【発明を実施するための最良の形態】
【００１３】
以下本発明の実施の形態について説明する。
【００１４】
鉛直に用いてコンクリートに支柱を設置するための開孔部を作る場合について述べる。図１は円筒管１である。この外側に波板２を縦長に巻きつける。これを図２（ａ）に示しこの拡大図を（ｂ）に示す。この外側に更にコンクリート分離シート３を端部が少し重なるように巻きつけ粘着テープ４で図３（ｂ）のように止める。次に円筒管１と波板２との隙間５および波板２とコンクリート分離シート３との隙間５にパッキング材６を図３（ｂ）のように詰める。パッキング材６の上下の位置は図２（ｂ）に示す。円筒管１、波板２およびパッキング材６を包むようにキャップ７を用いる。
【００１５】
前記円筒管１，波板２、コンクリート分離シート３、粘着テープ４、パッキング材６およびキャップ７よりなる円筒型枠セット（Ａ）を所定の位置にコンクリート８により浮き上がらないように固定しコンクリート８を打設する。コンクリート８の硬化後円筒型枠セット（Ａ）を引き抜く。
【００１６】
このとき波板２の山の部分の弾力により容易に引き抜くことができる。このあと波板２およびコンクリート分離シート３を中心方向に引き剥がすように取りさる。これを図２の（ａ）、（ｂ）の側面図および図３の（ａ）、（ｂ）の平面図に示す。
【００１７】
鉛直に用いる場合のその他の実施例
【００１８】
前記の場合キャップ７を円筒管１、波板２およびパッキング材６を包むように用いたが、これとは別に円筒管１のみを包むように用いてもよい。これを図２（ｃ）に示す。また円筒管１、波板２、パッキング材６およびコンクリート分離シート３の４部材を包むように用いてもよい。これを図２（ｄ）に示す。
【００１９】
またパッキング材６を用いず波板２を少し短くし、ここにコンクリート止めリング９を用いてもよくキャップ７の取り付けに関して（ｂ）に対応するものが（ｅ）であり（ｃ）は（ｆ）に（ｄ）は（ｇ）に対応する。次にキャップ７を用いず内ぶた１０を用いる場合を（ｂ）、（ｃ）、（ｄ）に対応するものを（ｈ）とし、（ｅ）、（ｆ）、（ｇ）に対応するものを（ｉ）に示す。なお図２の（ｂ）〜（ｉ）はすべて拡大側面図である。
【００２０】
以上の実施例は円筒型枠セット（Ａ）を鉛直に用いる場合について示したが、これを水平に用いる場合はキャップ７または内ぶた１０を使用せず円筒管１、波板２およびコンクリート分離シート３のみでありこれを図４に示し型枠１１で押さえて使用する。
【００２１】
水平に用いる場合の実施例。図４に示すように円筒管１に波板２を巻きつけ、この外側にコンクリート分離シート３を巻いた水平用の円筒型枠セット（Ａ）を壁を施工するための型枠１１に強く締め付けてモルタルが侵入しないようにしコンクリート８を打設しこの硬化後型枠１１をとり円筒管１を抜きとり、このあと波板２とコンクリート分離シート３を中心方向に取り去るものである。
【図面の簡単な説明】
【００２２】
【図１】本発明の実施形態を示すための円筒管の斜視図である。
【図２】本発明の鉛直実施形態を示す側面図である。
【図３】本発明の鉛直実施形態を示す平面図である。
【図４】本発明の水平実施形態を示す側面図である。
【符号の説明】
【００２３】
Ａ  円筒型枠セット
１  円筒管
２  波板
３  コンクリート分離シート
４  粘着テープ
５  隙間
６ パッキング材
７  キャップ
８  コンクリート
９  コンクリート止めリング
１０  内ぶた
１１  型枠
【図１】
2006161539.tif 000003
【図２】
2006161539.tif 000004
【図３】
2006161539.tif 000005
【図４】
2006161539.tif 000006